(57)【要約】【課題】浄化能力を長く保つことができる水質浄化設備を提供する。【解決手段】断面Ｕ字状のＵ字水路１と、Ｕ字水路１の底面から水を通す通水路２をあけて、その上面に浄化材２０を入れた浄化材層３を設け、通水路２の入側に入側堰４を設け、通水路２の出側に出側堰５を設ける。通水路２の上流側に入側桝部６を設け、通水路２の下流側に出側桝部７を設ける。浄化材層３は、複数個の浄化材ブロック１０をＵ字水路１の長手方向に連接したものであり、かご枠１１の内部に浄化材２０を詰めたものである。【選択図】図１
2007061664.tif 000002
【特許請求の範囲】
【請求項１】
断面Ｕ字状のＵ字水路と、
該Ｕ字水路の底部に水を通す通水路を形成し、該通水路の上面に設けた浄化材を入れた浄化材層と、
前記通水路の入側に設けた入側堰と、該通水路の出側に設けた出側堰とからなる
ことを特徴とする水質浄化設備。
【請求項２】
前記通水路の上流側に設けた入側桝部と、該通水路下流側に設けた出側桝部とを備えた
ことを特徴とする請求項１記載の水質浄化設備。
【請求項３】
前記浄化材層は、複数個の浄化材ブロックをＵ字水路の長手方向に連接したものであり、各浄化材ブロックは、個々のブロックを構成するかご枠の内部に浄化材を詰めたものである
ことを特徴とする請求項１記載の水質浄化設備。
【請求項４】
前記浄化材ブロックは、その断面形状が本体部と該本体部の両側から下方に伸びた左右の足部を有する逆Ｕ字状に形成されている
ことを特徴とする請求項１記載の水質浄化設備。
【発明の詳細な説明】
【技術分野】
【０００１】
本発明は、水質浄化設備に関する。さらに詳しくは、農業用排水路、生活雑排水路、排水処理設備からの放流水路、道路側溝など種々の流水路に用いて水質を継続的に向上することができる水質浄化設備に関する。
【背景技術】
【０００２】
水路の水質浄化設備として、従来例１，２の技術がある。
従来例１（特許文献１）の技術は、浄化ユニットを河川内に２個設置するものであり、各浄化ユニットは、底部に通水孔を２ヵ所有し、天端が常水位より低い第１及び第２の堰の間であって前記両通水孔より上側の上下方向中間位置に木炭と網袋とでユニット化した浄化材層を配設している。各第１開閉ゲートを閉状態、各第２開閉ゲートを開状態にして各浄化材層を通過する水の流れ方向を上から下にする第１の浄化工程と、各第１開閉ゲートを開状態、各第２開閉ゲートを閉状態にして各浄化材層を通過する水の流れ方向を上から下にする第２の浄化工程とを交互に切換えることにより、各浄化材層に対する流れを逆転させることができる。
【０００３】
従来例２（特許文献２）の技術は、多数のろ材を、透水性収容体に充填した状態で、その下方に空間部が形成されるように流水路中に設置し、流水中に含まれる汚損物質をろ材により捕捉、沈澱させ、前記透水性収容体内から空間部に沈降した沈殿物を流水路外へ排出するものである。
【０００４】
しかるに、いずれの従来技術も、水を浄化材の上から下に通すものである。このため、浄化材が目詰まりしやすく、浄化能力を長く保つことができなかった。
【０００５】
【特許文献１】特開平９−２５３６７７
【特許文献２】特開２０００−８４３０８
【発明の開示】
【発明が解決しようとする課題】
【０００６】
本発明は上記事情に鑑み、浄化能力を長く保つことができる水質浄化設備を提供することを目的とする。
【課題を解決するための手段】
【０００７】
第１発明の水質浄化設備は、断面Ｕ字状のＵ字水路と、該Ｕ字水路の底部に水を通す通水路を形成し、該通水路の上面に設けた浄化材を入れた浄化材層と、前記通水路の入側に設けた入側堰と、該通水路の出側に設けた出側堰とからなることを特徴とする。
第２発明の水質浄化設備は、第１発明において、前記通水路の上流側に設けた入側桝部と、該通水路下流側に設けた出側桝部とを備えたことを特徴とする。
第３発明の水質浄化設備は、第１発明において、前記浄化材層は、複数個の浄化材ブロックをＵ字水路の長手方向に連接したものであり、各浄化材ブロックは、個々のブロックを構成するかご枠の内部に浄化材を詰めたものであることを特徴とする。
第４発明の水質浄化設備は、第１発明において、前記浄化材ブロックは、その断面形状が本体部と該本体部の両側から下方に伸びた左右の足部を有する逆Ｕ字状に形成されていることを特徴とする。
【発明の効果】
【０００８】
第１発明によれば、通常の状態では、入側堰を開き出側堰を閉じておくと、通水路の入側が開いているので、上流から流れてきた水は通水路に入り、出側が閉じられていることから、水は浄化材層を下から上へ通り抜けて下流へ流れていく。このように浄化材層中の水が下から上へ流れると、浄化材中に泥等が沈殿することがない。また、多少なりとも泥等が浄化材中に詰まってくると、入側堰を閉じ出側堰を開くと、上流からの水が浄化材層中を上から下に通るので、その逆洗により泥等を通水路に落として流し去ることができる。このように、詰まりが生じにくく、逆洗も容易なので、浄化能力を長く保つことができる。
第２発明によれば、入側桝部に上流から流れてくる水の大きな砂などが落ち込むので、浄化材詰りが生じにくくなり、出側桝部には逆洗時に浄化材を通した泥や砂を落し込むことができる。
第３発明によれば、浄化材の交換等をブロック毎に行えるので保守が容易となる。
第４発明によれば、浄化材ブロックをＵ字水路に落し込むだけで、足部が本体部を中空状態に支えて、通水路を形作るので、浄化設備の設置が容易である。
【発明を実施するための最良の形態】
【０００９】
つぎに、本発明の実施形態を図面に基づき説明する。
図１は本発明の一実施形態に係る水質浄化設備の一部破断斜視図である。図２は同水質浄化設備の縦断面図である。図３（Ａ）図は同水質浄化設備の平面図、（Ｂ）図は同水質浄化設備の横断面図である。
【００１０】
同図において、Ａは水質浄化設備であり、Ｂはその上流の一般水路、Ｃは下流の一般水路である。
水質浄化設備Ａも一般水路Ｂ，Ｃも、基本的にはコンクリート製のＵ字側溝から構成された、断面Ｕ字状のＵ字水路である。この水質浄化設備Ａは、一般水路Ｂ，Ｃの間に任意の長さで設置される。
【００１１】
前記水質浄化設備Ａの構造を、つぎに説明する。
本実施形態の水質浄化設備Ａは、Ｕ字側溝で構成された断面Ｕ字状のＵ字水路１を基礎部材とし、そのＵ字水路１の底部に水を通す通水路２を形成し、その通水路２の上面に設けられた浄化材を入れた浄化材層３と、前記通水路２の入側に設けた入側堰４と、また通水路２の出側に設けた出側堰５とからなるものである。
また、必要により前記通水路２の上流側に入側桝部６を設け、通水路２の下流側に出側桝部７を設けたものである。
【００１２】
前記Ｕ字水路１は、一般水路Ｂ，Ｃと全く同じＵ字側溝で構成することもでき、やや深いＵ字側溝で構成することもできる。
【００１３】
前記浄化材層３は、図２および図３（Ａ）に示すように、複数個の浄化材ブロック１０をＵ字水路１の長手方向に連接したものである。浄化材ブロック１０の数は任意であり、その連接数を多くすると、浄化材層３を長くすることができる。
また、個々の浄化材ブロック１０は、金属棒あるいは金網等でかご状にして形成したかご枠１１の中に、浄化材２０を詰めたものである。浄化材としては、公知の炭やポーラスコンクリート、ゼオライト、またコークス炉から出たスラグや発泡廃ガラスなどを用いればよい。
上記のごとく浄化材層３はブロック化しているので、浄化材の交換等をブロック毎に行えるので保守が容易となる。
【００１４】
前記浄化材ブロック１０のかご枠１１は、図３（Ｂ）に示すように、その断面形状が本体部１２と本体部１２の両側から下方に伸びた左右の足部１３，１４を有する逆Ｕ字状に形成されている。
このため、浄化材ブロック１０をＵ字水路１に落し込むだけで、足部１３，１４が本体部１２を中空状態に支えて、通水路２を形作るので、浄化設備の設置が容易である。
【００１５】
つぎに、本実施形態の水質浄化設備Ａの使用方法を説明する。
図４は同水質浄化設備における水浄化時の説明図である。図５は同水質浄化設備における逆洗時の説明図である。
（水浄化作用）
図４に示すように、通常の水浄化中では、入側堰４を開き出側堰５を閉じておくと、通水路２の入側が開いているので、上流から流れてきた水は通水路２に入り、出側が閉じられていることから、水は浄化材層３の各浄化材ブロック１０の内部を下から上へ通り抜けて下流へ流れていく（実線矢印で示す）。このため、水は浄化材２０と接触して水質が浄化される。そして、浄化材ブロック１０中の水が下から上へ流れると、浄化材２０同士の隙間等に泥等が沈殿することがない。
また、入側桝部６には上流から流れてくる水に含まれていた大きな砂などが落ち込む（点線矢印で示す）ので、浄化材２０の詰りが生じにくくなる。
【００１６】
（逆洗作用）
通常の水浄化中に多少なりとも泥等が浄化材２０中に詰まってくると、図５に示すように、入側堰４を閉じ出側堰５を開く。この場合、上流からの水が浄化材ブロック１０中を上から下に通るので、その逆洗により泥等を通水路２に落として流し去ることができる。このように、詰まりが生じにくく、逆洗も容易なので、浄化能力を長く保つことができる。また、出側桝部７には逆洗時に浄化材２０を通した泥や砂を落し込むことができる。
【００１７】
つぎに、本発明の他の実施形態を説明する。
前記浄化材層３の浄化材ブロック１０はかご枠１１に浄化材２０を詰めたものであったが、これ以外につぎのような構造も採用できる。
ａ）ポーラスコンクリートのみで形成した浄化材層３ないしは浄化材ブロック１０
ｂ）浄化材入り金網で形成した浄化材層３ないしは浄化材ブロック１０
ｃ）ポーラスコンクリートと浄化材入り金網の混合で形成した浄化材層３ないしは浄化材ブロック１０
ｄ）ポーラスコンクリートと足部がない浄化材入り金網の混合で形成した浄化材層３ないしは浄化材ブロック１０
【００１８】
また、前記浄化材層３は複数個の浄化材ブロック１０から構成したものであったが、長さが任意の一体物の浄化材ブロック１０で構成してもよい。この場合、構造が簡単になり、製作費が安くなる。
【産業上の利用可能性】
【００１９】
本発明の水質浄化設備Ａは、人工水路だけでなく、河川、池、湖沼などにも、水質浄化設備Ａを設置することで、水質浄化に使用することができる。
【図面の簡単な説明】
【００２０】
【図１】本発明の一実施形態に係る水質浄化設備の一部破断斜視図である。
【図２】同水質浄化設備の縦断面図である。
【図３】（Ａ）図は同水質浄化設備の平面図、（Ｂ）図は同水質浄化設備の横断面図である。
【図４】同水質浄化設備における水浄化時の説明図である。
【図５】同水質浄化設備における逆洗時の説明図である。
【符号の説明】
【００２１】
Ａ    水質浄化設備
１    Ｕ字水路
２    通水路
３    浄化材層
４    入側堰
５    出側堰
６    入側桝部
７    出側桝部
１０    浄化材ブロック
１２    本体部
１３    左の足部
１４    右の足部
２０    浄化材
【図１】
2007061664.tif 000003
【図２】
2007061664.tif 000004
【図３】
2007061664.tif 000005
【図４】
2007061664.tif 000006
【図５】
2007061664.tif 000007